(57)【要約】      （修正有）【課題】均等かつ確実にプラスチックラベルを貼付けたプラスチックボトルを作製する。【解決手段】両端部に接着剤を塗布したプラスチックラベル２の一端部を、多角柱型のプラスチック容器１の側面のうちの一面１ａに貼付け、上記プラスチックラベル２を上記多角柱型のプラスチック容器１の周囲に巻き付けて、上記プラスチックラベル２の他端部を、上記プラスチックラベル２の上又は上記プラスチック容器１の側面のいずれかに貼付けたものであって、上記一面１ａを構成し上記プラスチックラベルが巻かれる方向に対して垂直な方向に伸びる２つの辺Ａ，Ｂのうち、上記プラスチックラベル２が巻き付けられていく側と反対側の１辺Ａを基準としたとき、上記一面に貼付けられた上記プラスチックラベルの上記一端部の端縁２ｃまでの距離ｑが、上記２つの辺の間の距離ｐの１５〜９５％の範囲内であるラベル付き容器を作製する。【選択図】図３
2005082154.tif 000002
【特許請求の範囲】
【請求項１】
両端部に接着剤を塗布したプラスチックラベルの一端部を、多角柱型のプラスチック容器の側面のうちの一面に貼付け、上記プラスチックラベルを上記多角柱型のプラスチック容器の周囲に巻き付けて、上記プラスチックラベルの他端部を、上記プラスチックラベルの上又は上記プラスチック容器の側面のいずれかに貼付けたものであって、
上記一面を構成し上記プラスチックラベルが巻かれる方向に対して垂直な方向に伸びる２つの辺のうち、上記プラスチックラベルが巻き付けられていく側と反対側の１辺を基準としたとき、上記一面に貼付けられた上記プラスチックラベルの上記一端部の端縁までの距離が、上記２つの辺の間の距離の１５〜９５％の範囲内であるラベル付き容器。
【請求項２】
上記プラスチックラベルの他端部が、上記の貼付けを開始する平面上に位置する、請求項１に記載のラベル付き容器。
【請求項３】
上記プラスチックラベルを上記プラスチック容器の側面に１周以上巻き付け、上記プラスチックラベルの他端部を上記プラスチックラベルの上に貼付けた、請求項１又は２に記載のラベル付き容器
【請求項４】
上記接着剤が感熱性接着剤である、請求項１乃至３のいずれかに記載のラベル付き容器。
【請求項５】
両端部に接着剤を塗布したプラスチックラベルの一端部を、多角柱型のプラスチック容器の側面のうちの一面に貼付ける際、
上記一面を構成し上記プラスチックラベルが巻かれる方向に対して垂直な方向に伸びる２つの辺のうち、上記プラスチックラベルが巻き付けられていく側と反対側の１辺を基準としたとき、上記一面に貼付ける上記プラスチックラベルの上記一端部の端縁までの距離を、上記２つの辺の間の距離の１５〜９５％の範囲内であるようにし、
上記プラスチックラベルを保持し送出する回転速度が７０〜５００ｍ／ｍｉｎである回転ドラムを用いて、上記プラスチックラベルを上記多角柱型のプラスチック容器の周囲に巻き付けて、上記プラスチックラベルの他端部を、上記プラスチックラベルの上又は上記プラスチック容器の側面のいずれかに貼付ける、ラベル付き容器の製造方法。
【請求項６】
上記プラスチックラベルの他端部が、上記一面上にある、請求項５に記載のラベル付き容器の製造方法。
【請求項７】
上記プラスチックラベルを上記プラスチック容器の側面に１周以上巻き付け、上記プラスチックラベルの他端部を、上記プラスチックラベルの上に貼付ける、請求項５又は６に記載のラベル付き容器の製造方法。
【請求項８】
上記接着剤が感熱性接着剤であり、外部加熱装置によって上記感熱性接着剤を接着させる、請求項５乃至７のいずれかに記載のラベル付き容器の製造方法。
【発明の詳細な説明】
【技術分野】
【０００１】
この発明はラベルを貼付けたプラスチック容器に関する。
【背景技術】
【０００２】
一般に、飲料水等を入れたポリエチレンテレフタレート（以下、「ＰＥＴ」と略す。）製ボトル等のプラスチックボトルには、その内容等を表示し、又は、購買者を引きつけるためのデザインを施したプラスチックラベルが巻かれている。このプラスチックラベルを巻き、固定させる装置としては、丸みを持った角形ボトルに上記プラスチックラベルを貼付ける装置が特許文献１に記載されている。
【０００３】
【特許文献１】特許第３３８３７４６号公報
【発明の開示】
【発明が解決しようとする課題】
【０００４】
しかしながら、丸みを持った角形ボトルよりも強度に優れる多角柱型のプラスチックボトルに、上記プラスチックラベルを高速で貼付けようとすると、上記プラスチックラベルを移送し保持するための回転ドラムに押されて、上記ラベルにしわや折れを生じることがあった。また、上記角形ボトルに貼付けようとする際に、うまく接着されずに、表面で滑ってずれたり剥がれたりすることもあった。
【０００５】
そこでこの発明は、高速でドラムを回転させてプラスチックラベルを多角柱型のプラスチックボトルに貼付ける場合であっても、プラスチックラベルにしわや折れを生じさせず、また、プラスチックボトルの表面で大きなずれや滑りを起こさずに、均等かつ確実にプラスチックラベルを貼付けたプラスチックボトルを作製することを目的とする。
【課題を解決するための手段】
【０００６】
両端部に接着剤を塗布したプラスチックラベルの一端部を、多角柱型のプラスチック容器の側面のうちの一面に貼付け、上記プラスチックラベルを上記多角柱型のプラスチック容器の周囲に巻き付けて、上記プラスチックラベルの他端部を、上記プラスチックラベルの上又は上記プラスチック容器の側面のいずれかに貼付けたものであって、
上記一面を構成し上記プラスチックラベルが巻かれる方向に対して垂直な方向に伸びる２つの辺のうち、上記プラスチックラベルが巻き付けられていく側と反対側の１辺を基準としたとき、上記一面に貼付けられた上記プラスチックラベルの上記一端部の端縁までの距離が、上記２つの辺の間の距離の１５〜９５％の範囲内であるラベル付き容器を作製することによって上記の課題を解決したのである。
【発明の効果】
【０００７】
貼付を開始する一面の、基準とするラベルを巻き付けていく側と反対側の１辺から、貼付けた上記一端部の端縁までの距離が、上記の貼付を開始する側面の上記２つの辺の間の距離の１５〜９５％であるように貼付けることによって、プラスチックラベルを保持し移送する回転ドラムの回転速度が高速であっても、プラスチックラベルがプラスチックボトル上で大きくずれたり、しわを生じたりすることなく、プラスチックラベルを確実に貼付けることができる。これにより、貼付け作業をより迅速かつ正確に行うことができる。
【発明を実施するための最良の形態】
【０００８】
この発明にかかるラベル付き容器は、図１に示すような、両端部に接着剤を塗布したプラスチックラベル２の一端部２ａを、図２（ａ）に示すように、多角柱型のプラスチック容器１の側面のうちの一面１ａに貼付け、上記プラスチックラベル２を上記多角柱型のプラスチック容器１の周囲に巻き付けて、上記プラスチックラベル２の他端部２ｂを、上記プラスチックラベル２の上又は上記プラスチック容器１の側面のいずれかに貼付け、
上記一面１ａを構成し上記プラスチックラベル２が巻かれる方向と垂直な方向に伸びる２つの辺Ａ及びＢのうち、上記プラスチックラベルが巻き付けられていく側と反対側の１辺Ａを基準としたとき、上記一面１ａに貼付けられた上記プラスチックラベル２の上記一端部２ａの端縁２ｃまでの距離ｑが、上記一面１ａの幅、すなわち上記２つの辺の間の距離である辺間距離ｐの、１５〜９５％の範囲内であるようにプラスチックラベル２を貼付けたものである。
【０００９】
上記プラスチックラベル２とは、この発明にかかるラベル付き容器に詰める商品の内容に関する情報等を記載し、又は購買者を引きつけるためのデザインを施すものである。このため、プラスチックラベル２は印刷がしやすいものであることが望ましい。このようなプラスチックラベル２の材料としては、例えば、二軸延伸ポリプロピレンフィルムや、ＰＥＴフィルム等が挙げられる。
【００１０】
上記プラスチックラベル２は、図１に示すように、両端部に接着剤が塗布してあることが必要である。塗布されているのは片面だけであり、このうちの一端部２ａの接着剤層は、プラスチックラベル２を上記多角柱型のプラスチック容器１に貼付ける役目を有し、他端部２ｂの接着剤層は、上記プラスチックラベル２をプラスチック容器１に貼付けるか、又は、上記プラスチックラベル２同士を貼り合わせる役目を有する。
【００１１】
上記多角柱型のプラスチック容器１とは、側面に複数の角と複数の平面とを有するプラスチック製の容器をいい、底部は平面ではなく錐状であってもよく、上部に注ぎ口等を備えるものである。このような多角柱型のプラスチック容器１としては、例えば清涼飲料水用や調味料用のボトル等が挙げられる。このプラスチック容器１の材料は、透明性が高く、ある程度の強度を持ったプラスチックであることが望ましい。このような材料としては、例えばＰＥＴ、ポリエチレンナフタレート、ポリプロピレン、ポリスチレン、塩化ビニル等が挙げられる。
【００１２】
上記の多角柱型のプラスチック容器１は、側面の少なくとも一部が平面であることが望ましく、プラスチック容器１の側面を垂直に切った垂直断面は、角を有する多角形であることが望ましい。上記の垂直断面の形状である多角形は正多角形である必要はなく、辺の長さに違いがあってもよく、長い辺と短い辺とが組み合わさった多角形であるとさらに望ましい。長い辺にあたる側面において表示部を大きく確保することができ、さらに、上記垂直断面では短い辺にあたる側面においてプラスチックラベル２の貼付けを行うことで、上記の接着剤層を目立たないようにすることができるからである。プラスチックラベル２を貼付ける以外の上記側面は必ずしも一様に平面である必要はなく、一部に強度を上げるため又はデザインとしての凹みがあってもよい。
【００１３】
また、上記プラスチックラベル２は、矩形であることが望ましい。この矩形の一端部２ａの端縁２ｃから他端部２ｂの端縁２ｄまでの長さは、上記プラスチック容器１の凹みを無視した外周よりも長いことが望ましい。上記プラスチック容器１の全周を覆うために、一周以上巻いて貼付けられることが望ましいからである。この貼付けを開始する面１ａは、少なくとも平面を有していなければならず、凹みが無いことが望ましい。
【００１４】
図３（ａ）に示すように、貼付けを開始する面１ａを構成しラベルを巻き付ける方向とは垂直の方向に区切る二つの辺Ａ及びＢのうち、プラスチックラベル２を巻き付けていく側と反対側の辺Ａを基準とし、上記一端部２ａの端縁２ｃが面１ａに貼付けられた場所である貼付開始位置Ｃまでの距離ｑは、上記の辺Ａ及びＢ間の辺間距離ｐの１５〜９５％であることが必要であり、２０〜８０％であればより望ましい。なお、辺間距離ｐが一定ではない場合は、プラスチックラベル２が巻き付く部位のうち辺間距離ｐが最も短い部分を基準にする。なお、プラスチックラベル２を貼り付ける際に、上記一端部２ａの端縁２ｃは、辺Ａ及びＢと平行に近いことが望ましく、平行であればより望ましい。
【００１５】
上記の距離ｑが辺間距離ｐの１５％より短い場合、貼付けた上記プラスチックラベル２が貼付けを開始する平面１ａの上に長く広がりすぎるため、上記プラスチックラベル２を供給する機械によって、プラスチックラベル２が押されてしまい、しわを生じてしまう場合がある。一方、上記の距離ｑが辺間距離ｐの９５％より長い場合、プラスチックラベル２が貼付を開始する面１ａに接着する面積が小さすぎて、プラスチックラベル２とプラスチック容器１との接着強度が十分なものとならず、プラスチックラベル２を巻き付けるためにプラスチック容器１を回転させると、プラスチックラベル２が剥離してしまう場合がある。
【００１６】
上記プラスチックラベル２は、その他端部２ｂがプラスチック容器１か又はプラスチックラベル２のいずれかに貼付けられていることが必要である。望ましくは、プラスチック容器１の側面に１周以上巻き付けられた上で、上記他端部２ｂが、プラスチック容器１の表面上に貼付けられたプラスチックラベル２の上に貼付けられることである。少なくとも上記プラスチック容器１の全周を覆うためである。また、プラスチックラベル２の長さは、プラスチックラベル２が二重三重に重なる部分を少なくするために、プラスチック容器１を２周以上しないことが望ましい。
【００１７】
上記他端部２ｂは、上記の貼付を開始する面１ａ内に貼付けてあることが望ましい。上記一端部２ａを貼付ける第１接着剤層と、上記他端部２ｂを貼付ける第２接着剤層とを構成する接着剤は、上記プラスチックラベル２が透明である場合にプラスチックラベル２をより不透明に見せたり、上記プラスチックラベル２が不透明でもそこだけが違って見えたりする場合があるので、これらが側面の別の場所に存在しているよりも、同じ面１ａに集中している方が、見た目の邪魔になりにくくなる。
【００１８】
なお、プラスチックラベル２の長さがプラスチック容器１の１周分ちょうどであって、端縁２ｃと端縁２ｄとが接していてもよい。この場合、他端２ｂはプラスチック容器１に接着されることになる。しかし、プラスチックラベル２を１周以上させてプラスチックラベル２同士を繋げた方が、プラスチック容器１から剥がれにくくなるため、図２（ｂ）、図３（ｂ）（ｃ）に示すように、プラスチックラベル２がプラスチック容器１の１周分以上あって、面１ａ内でプラスチックラベル２に他端部２ｂが貼付けてある方が望ましい。したがって、プラスチックラベル２の長さは、プラスチック容器１の１周分より長く、１周と（ｐ−ｑ）以下であるとより望ましい。
【００１９】
上記接着剤は、感熱性接着剤であることが望ましい。あらかじめ上記プラスチックラベル２に塗布しておいて、必要なときに加熱することにより接着させることができるからである。
【００２０】
上記貼付を開始する平面１ａ以外の側面には、強度を増加させるため、又は見る者に美的印象を与えるための凹凸が刻まれていてもよい。また、上記貼付を開始する平面１ａには、貼付けの妨害にならない位置に凹みが刻まれていてもよいが、凹みが無い方がより望ましい。
【００２１】
次に、このラベル付き容器の製造方法について説明する。
まず、プラスチックラベル２を用意する。このプラスチックラベル２はあらかじめ両端に接着剤を塗布してあることが望ましく、その接着剤は感熱性接着剤であるとより望ましい。保存に有利であり、必要な時に必要な箇所だけ接着させることができるからである。
【００２２】
このプラスチックラベル２の一端部２ａを、回転ドラムにより保持して、端縁２ｃをプラスチック容器１の側面にある平面１ａの、上記した距離ｑが辺間距離ｐの１５〜９５％となる貼付開始位置Ｃに貼付けることが必要であり、この比が２０〜８０％であればより望ましい。この回転ドラムの回転速度は、７０〜５００ｍ／ｍｉｎであることが必要であり、１００〜３００ｍ／ｍｉｎであれば望ましい。回転速度が７０ｍ／ｍｉｎ未満では、遅すぎて作業効率の低下を招いてしまう。一方で、５００ｍ／ｍｉｎを越える速度で貼付けようとすると、しわや剥離を生じさせないのは困難であるとともに、上記回転ドラムの径を極めて大きいものにする必要があり現実的でないからである。
【００２３】
上記プラスチックラベル２の他端部２ｂは、プラスチックラベル２か、又はプラスチック容器１のいずれかの側面に貼付けられることが必要である。上記の回転ドラムにより、プラスチックラベル２を送出してプラスチック容器１の側面に一周以上巻き付け、上記他端部２ｂを、プラスチック容器１の側面に巻かれたプラスチックラベル２の上に貼付けるとより望ましい。また、上記他端部２ｂは、上記一端部２ａを貼付けた平面１ａに位置するとさらに望ましい。したがって、上記のように、プラスチックラベル２の長さは、プラスチック容器１の１周分以上であり、１周と（ｐ−ｑ）以下であるとより望ましい。
【実施例１】
【００２４】
以下、実施例によりこの発明をより具体的に説明する。
プラスチックラベル（延伸ポリプロピレン製  厚さ：５０μｍ  ピッチ：０．３５ｍ）を、プラスチック容器（東洋製罐（株）製：ＰＥＴボトル  ２０００ｍｌ  側面に垂直な断面の形状：八角形）に巻き付け貼付けるにあたり、所定の回転速度で所定の貼付開始位置から貼付けることのできる、回転ドラム（直径１．２ｍ）を用いた。
貼付開始位置は、プラスチック容器の側面のうち幅２３ｍｍである平面上とし、プラスチックラベルを巻き付けていく側とは反対側の辺から貼付け位置までの長さをｑ（ｍｍ）し、その比率Ｌを下記式（Ｉ）により求めた。
Ｌ＝（ｑ／２３）×１００（％）    （Ｉ）
回転ドラムの回転速度を変化させつつ、この貼付け位置を変化させることにより、プラスチックラベルにしわが生じるか否かについて目視により測定を行い、しわが生じない場合は○、しわが生じる場合は×とした。また、回転ドラムに対するラベラー適性を、剥がれるか剥がれないかで評価し、適性である場合は○、不適性である場合は×とした。
【００２５】
（実験例１）
回転ドラムの回転速度を７０ｍ／ｍｉｎ、貼付開始位置の比率Ｌを１５％として各々の測定を行った。その結果を表１に示す。
【００２６】
（実験例２）
回転ドラムの回転速度を１５０ｍ／ｍｉｎ、貼付開始位置の比率Ｌを５０％として各々の測定を行った。その結果を表１に示す。
【００２７】
（実験例３）
回転ドラムの回転速度を７０ｍ／ｍｉｎ、貼付開始位置の比率Ｌを９５％として各々の測定を行った。その結果を表１に示す。
【００２８】
（比較例１）
回転ドラムの回転速度を７０ｍ／ｍｉｎ、貼付開始位置の比率Ｌを１０％として各々の測定を行った。その結果を表１に示す。
【００２９】
（比較例２）
回転ドラムの回転速度を１００ｍ／ｍｉｎ、貼付開始位置の比率Ｌを９８％として各々の測定を行った。その結果を表１に示す。
【００３０】
【表１】
2005082154.tif 000003
【００３１】
（結果）
実験例１と比較例１とを比較すると、貼付開始位置の比率Ｌが１０％であるとラベルにしわが生じてしまうが、１５％であるとしわを生じることなくラベルを貼付けることができた。
一方、実験例３と比較例とを比較すると、貼付開始位置の比率Ｌが９５％であるとラベルを適性に貼付けることができたが、９８％であるとラベルを適性に貼付けることが出来なかった。
また、実験例２のように貼付開始位置の比率Ｌが５０％であると、しわは生じず、ラベルを適性に貼付けることができた。
【図面の簡単な説明】
【００３２】
【図１】プラスチックラベルの正面図
【図２】（ａ）はプラスチック容器にプラスチックラベルを巻き付ける斜視図、（ｂ）はプラスチックラベルを巻いたラベル付き容器の斜視図
【図３】（ａ）はＥ−Ｅの断面拡大図、（ｂ）はＦ−Ｆの断面拡大図、（ｃ）はＦ−Ｆの断面図
【符号の説明】
【００３３】
１  プラスチック容器
１ａ  貼付を開始する一面
２  プラスチックラベル
２ａ  ラベルの一端部
２ｂ  ラベルの他端部
２ｃ  ラベルの一端部の端縁
２ｄ  ラベルの他端部の端縁
３  接着剤
Ａ  平面１ａの辺
Ｂ  平面１ａの辺（ラベルを巻き付けていく方向）
Ｃ  貼付開始位置
ｐ  辺Ａと辺Ｂとの辺間距離
ｑ  Ａ−Ｃ間の距離
【図１】
2005082154.tif 000004
【図２】
2005082154.tif 000005
【図３】
2005082154.tif 000006